Podtech/llm-jp-corpus-v4-ja_patent huggingface dataset:
【手続補正書】
【提出日】平成18年3月7日(2006.3.7)
【手続補正１】
【補正対象書類名】明細書
【補正対象項目名】特許請求の範囲
【補正方法】変更
【補正の内容】
【特許請求の範囲】
【請求項１】  少なくとも一部を感圧接着剤層でコーティングされた細長い帯片を含むマスキング材料であって、該帯片が、断面形状を凸状とし、かつ該感圧接着剤層により基材に接着されると一部が該基材上に張り出すように位置付けられる曲面を有しており、該マスキング材料が、該曲面部分を含んで該帯片の残りの部分に剥離自在に固定され、かつ該帯片の残りの部分とは寸法を異にする着脱自在な縁部を含み、該縁部が除去されると、該帯片の残りの部分が備える、断面を凸状として該基材上に張り出すように位置付けられた第２の曲面を露出することが可能であるマスキング材料。
【請求項２】  前記細長い帯片が、冷間溶接可能な発泡体から形成され、その長手方向沿いに、前記曲面の形状を維持する少なくとも１本の冷間溶接継目を有する請求項１に記載のマスキング材料。
【請求項３】  前記細長い帯片が１対の冷間溶接継目を含み、実質的に楕円形あるいは円形の断面を有する請求項１または２に記載のマスキング材料。
【請求項４】 前記着脱自在な縁部が、前記細長い帯片の曲面に剥離自在に固定された発泡体帯片を含む請求項１〜請求項３のいずれか１項に記載のマスキング材料。
【請求項５】 前記発泡体帯片が感圧接着剤により剥離自在に固定されている請求項４に記載のマスキング材料。
【手続補正書】
【提出日】平成18年2月17日(2006.2.17)
【手続補正１】
【補正対象書類名】明細書
【補正対象項目名】請求項８
【補正方法】変更
【補正の内容】
【請求項８】
前記コイルばね部材（１０）にそれぞれの前記長手方向軸（ｓ）の方向に予備張力をかけることができるように構成された手段（１５）を有することを特徴とする、請求項１から７のいずれか１項に記載の支持装置。
【手続補正書】
【提出日】平成18年3月8日(2006.3.8)
【手続補正１】
【補正対象書類名】明細書
【補正対象項目名】特許請求の範囲
【補正方法】変更
【補正の内容】
【特許請求の範囲】
【請求項１】
小および中細孔酸性ゼオライト触媒の触媒活性を改善する方法であって、触媒組成の重量に基づいて、少なくとも１種の小または中細孔酸性ゼオライトを0.5〜10重量％のリン化合物で処理して燐処理されたゼオライトを形成する工程、及び燐処理されたゼオライトを1〜50重量％のAlPO4と一緒にする工程を含む方法。
【請求項２】
燐化合物が燐酸アンモニウム酸、燐酸二水素アンモニウム、燐酸またはその酸性塩、ポリ燐酸またはその酸性塩、有機亜リン酸、及び有機ホスフィンからなる群から選択される、請求項１の方法。
【請求項３】
燐化合物で処理されるゼオライトが、MFI、MEL、MTW、EUO、MTT、FER、MFS、TON、CHA、ERI、MAZ、OFF、RHO、HEV、KFI、LEV、及びLTAからなる群から選択される構造型を含む、請求項１の方法。
【請求項４】
燐化合物で処理されるゼオライトが、ZSM−５、ZSM−１１、ZSM−２２、ZSM−２３、ZSM−３４、ZSM−３５、ZSM−３８、ZSM−４８、ZSM−５０、ZSM−５７、MCM−２２、シリカライト−１、シリカライト−２、ZK−４、SAPO−３４、SAPO−３５、ZK−１４、SAPO−４２、ZK−２１、ZK−２２、ZK−５、ZK−２０、ゼオライトA、エリオナイト、チャバザイト、ゼオライトT、グメリナイト、ALPO−１７、クリノプチロライト、マッザイト、オフレタイト、輝沸石、及びゼオライトρからなる群から選択される、請求項１の方法。
【請求項５】
燐で処理されるゼオライトが、１０員環構造を有する、請求項１の方法。
【請求項６】
処理されるゼオライトが、８員環構造を有する、請求項１の方法。
【請求項７】
燐で処理されるゼオライトが、MFI、MEL、MTW、EUO、MTT、FER、MFS、及びTONからなる構造型から選択される、請求項１の方法。
【請求項８】
燐で処理されるゼオライトが、CHA、ERI、MAZ、OFF、RHO、HEV、KFI、LEV、及びLTAからなる構造型から選択される、請求項１の方法。
【請求項９】
燐で処理されるゼオライトが、ZSM−５、ZSM−１１、ZSM−２２、ZSM−２３、ZSM−３４、ZSM−３５、ZSM−３８、ZSM−４８、ZSM−５０、ZSM−５７、MCM−２２、シリカライト−１、及びシリカライト−２からなる群から選択される、請求項１の方法。
【請求項１０】
燐で処理されるゼオライトが、ZK−４、SAPO−３４、SAPO−３５、ZK−１４、SAPO−４２、ZK−２１、ZK−２２、ZK−５、ZK−２０、ゼオライトA、エリオナイト、チャバザイト、ゼオライトT、グメリナイト、ALPO−１７、クリノプチロライト、マッザイト、オフレタイト、輝沸石、及びゼオライトρからなる群から選択される、請求項１の方法。
【請求項１１】
燐で処理されるゼオライトがZSM−５を含む、請求項４の方法。
【請求項１２】
AlPO4を有する燐処理されたゼオライトを、触媒組成が５〜６０重量％ゼオライトと残量が結合材料となるように、結合材料と混合する工程をさらに含む、請求項１の方法。
【請求項１３】
結合材料が、カオリン、シリカ、アルミナ、又は混合酸化物からなる群から選択される、請求項１２の方法。
【請求項１４】
触媒が、約１％のP／４％のAｌPO４／４０％のゼオライト／５５％のSiO２の組成を有する、請求項１２の方法。
【請求項１５】
AｌPＯ４が、新たに調製された湿りゲル、乾燥され焼成された乾燥ゲルからなる群から選択される、請求項１に従った方法。
【請求項１６】
ゼオライトを燐化合物で処理し、燐処理されたゼオライトを焼成し、及び焼成された燐処理されたゼオライトをAｌPＯ４と一緒にする第１の工程を含む、請求項１に従った方法。
【請求項１７】
一緒にされた燐処理されたゼオライトとAｌPＯ４とを蒸熱処理する、請求項１の方法。
【請求項１８】
請求項1〜１７のいずれかの方法に従って製造された物質組成物。
【請求項１９】
炭化水素供給原料を接触分解条件下に請求項１８の組成を含む触媒と接触させることを含む、炭化水素を分解する方法。
【請求項２０】
供給原料が、ブタン、ナフサ、軽油、フィッシャー-トロプシュ液体、ラフィネート、フィールド天然ガソリン、石油、ワックス、減圧蒸留軽油、オレフィン、ジオレフィン、ブテン類、ブタジエン類、水蒸気分解ナフサ、接触分解ナフサ、コーカーナフサ、軽質バージンナフサ、軽質接触分解ナフサ、通常の水蒸気分解器流出物からの水素未添加C４〜C8化合物、減圧蒸留残渣分、及び接触分解器からの流出物からなる群から選択される、請求項１９に従った方法。
【請求項２１】
供給原料が、軽質バージンナフサ、軽質接触分解ナフサ、コーカーナフサ、通常の水蒸気分解器流出物からの水素未添加C４〜C8化合物、及び接触分解器からの流出物からなる群から選択される、請求項１９に従った方法。
【請求項２２】
触媒が、流動化接触分解器の触媒床にプロピレン又はブチレンの生産を増強するのに十分な量で添加される、請求項１９に従った方法。
【請求項２３】
供給物がナフサを含む、請求項１９に従った方法。
【請求項２４】
ナフサが、飽和バージンナフサ、接触分解ナフサ、コーカーナフサ、及び水蒸気分解ナフサからなる群から選択される、請求項１９に従った方法。
【手続補正書】
【提出日】平成18年2月10日(2006.2.10)
【手続補正１】
【補正対象書類名】明細書
【補正対象項目名】特許請求の範囲
【補正方法】変更
【補正の内容】
【特許請求の範囲】
【請求項１】  成分として、
成分(a)：以下の群
【化１】
2002505276.tif 000001
[(A)式において、
R = H、OCH3、OCHF2；
R1 = CH3、OCH3；
R2 = H、CH3；
R3 = CH3、CH2-CF3、(CH2)3-OCH3]
【化２】
2002505276.tif 000002
[(B)群の化合物において、
RI3、RI4 は、互いに同じか又は異なって、それぞれ遊離の原子価、水素、 −N=C(NH2)2、-CH2-N(CH3)2；
Y = S、N-RI6、CRI7RI8；
X = O、S、N-RI1；
RI2 = H、CH3；
n = 0、1；
Z = N-CN、N-SO2NH2、CH-NO2、又は
【化３】
2002505276.tif 000003
RI5 = H、-NH-CH3、NH2；
RI6、RI7、RI8、RI1 は、互いに同じか又は異なって、水素、遊離の原子価である]
から選択される1以上の成分；と
成分(b)： NO一酸化窒素供与体である、つまり脈管内皮細胞、血小板等とインビトロで接触される際、及び37℃で5分インキュベートした後にNOを放出し、cGMP(環状グアノシン3',5'-(リン酸化水素))合成を活性化できることを特徴とする、-ONO2基を含む1以上の有機化合物、又は -NO基を含む1以上の無機化合物、又はその混合物
とを含む医薬組成物。
【請求項２】  成分(a)と(b)のモル比が、1:0.1〜1:5、好ましくは1:0.5〜1:2で変化する請求項１に記載の医薬組成物。
【請求項３】  成分(a)において、化合物が、以下のとおり：
- 式(A)：
R = OCH3、R1 = CH3、R2 = CH3、R3 = CH3である、オメプラゾール残基；
オメプラゾールで、但しR = OCHF2、R1 = OCH3、R2 = Hである際に、パントプラゾール残基；
オメプラゾールで、但しR = H、R2 = H、R3 = (CH2)3-OCH3である際に、ラベプラゾール残基；
ラベプラゾールで、但しR3 = CH2-CF3である際に、ランソプラゾール残基；
- 式(B)：
X = N-RI1 (RI1 は遊離の原子価)、Y = N-RI6 (RI6 = H)、RI3 = H、RI4 は遊離の原子価で、RI1 で二重結合を形成し、RI2 = CH3、n = 1、RI5 = -NH-CH3、Z= N-CNである、シメチジン残基；
式(B)においてX = N-RI1 (RI1 は遊離の原子価)、Y = S、RI3 = −N=C(NH2)2、RI4 は遊離の原子価で、RI1 で二重結合を形成し、RI2 = H、n = 1、RI5 = H、Z = （VIIA）である際に、エブロチジン残基；
エブロチジンで、但しn = 0、RI5 = NH2 及びZ = N-SO2NH2である際に、ファモチジン残基；
エブロチジンで、但しRI3 = -CH2-N(CH3)2、RI5 = -NH-CH3 及びZ = CH-NO2である際に、ニザチジン残基；
ニザチジン残基で、但しX = 酸素、Y = CRI7RI8 (RI7は水素であり、RI8は遊離の原子価)、RI4 が遊離の原子価であり、RI8で二重結合を形成する際に、ラニチジン残基
である請求項１又は２に記載の医薬組成物。
【請求項４】  各成分の1以上の化合物の異性体が用いられる請求項１〜３のいずれか１項に記載の医薬組成物。
【請求項５】  成分a)の式(A)及び(B)の化合物の代わりに、相当する有機又は無機の酸性塩が用いられる請求項１〜４のいずれか１項に記載の医薬組成物。
【請求項６】  硝酸塩を含有する請求項５に記載の医薬組成物。
【請求項７】  塩が、化合物モル当たり少なくとも1モルのアニオンを含む請求項５又は６に記載の医薬組成物。
【請求項８】  成分b)で使用できる -ONO2基を含有する有機化合物が、クロニトレート、エリスリチルテトラニトレート、マンニトールヘキサニトレート、ニコランジル、ニトログリセリン、ペンタエリスリトールテトラニトレート、ペントリニトロール、プロパチルニトレート、トロールニトレートホスフェート、プロスタグランジンニトロ誘導体から選択される請求項１〜７のいずれか１項に記載の医薬組成物。
【請求項９】  成分b)の-NO基を含む無機化合物が、アルカリ、アルカリ土類又はIII族の金属の硝酸塩及びニトロプルシッド塩から選択される請求項１〜８のいずれか１項に記載の医薬組成物。
【請求項１０】  硝酸塩が、硝酸ナトリウム及び硝酸カリウムである請求項９に記載の医薬組成物。
【請求項１１】  経口、非経口、経皮の投与用に製剤化される請求項１〜１０のいずれか１項に記載の医薬組成物。
【請求項１２】  成分b)が、成分a)と同時に、その後に又はその前に投与される請求項１１に記載の医薬組成物。
【請求項１３】  潰瘍及び消化不良の再発の治療及び予防用の請求項１〜１２のいずれか１項に記載の医薬組成物。
【請求項１４】  従来の胃保護剤をさらに含む請求項１〜１３のいずれか１項に記載の医薬組成物。
【請求項１５】  従来の胃保護剤が、プロスタグランジン、ビスマス塩及び抗生物質から選択される請求項１４に記載の組成物。
【手続補正書】
【提出日】平成17年7月8日(2005.7.8)
【手続補正１】
【補正対象書類名】明細書
【補正対象項目名】特許請求の範囲
【補正方法】変更
【補正の内容】
【特許請求の範囲】
【請求項１】  選択された車線を移動する車両の操作システムにおいて、
選択車線内で該車両の自動ステアリングを提供する機構と、
選択車線から離れることの指示を生成するためのインタフェースと、
該指示に応じて該車両の手動ステアリングを可能にするプロセッサとからなることを特徴とするシステム。
【請求項２】  請求項１のシステムにおいて、前記選択車線が自動ハイウェーシステム（ＡＨＳ）に従って設計されることを特徴とするシステム。
【請求項３】  車両に利用されるシステムにおいて、
該車両を取り囲むゾーンの範囲を限定するためのインタフェースと、
該車両と衝突する可能性のある物体が該ゾーンの範囲内にあるかどうかを判断し、そのような物体がゾーン内に少なくとも一つ存在する場合に信号を生成するプロセッサとからなることを特徴とするシステム。
【請求項４】  請求項３のシステムにおいて、該車両を取り囲む物体の位置を示すための機構をさらに備えることを特徴とするシステム。
【請求項５】  車両駐車を行うシステムにおいて、
該車両を駐車するスペースを定めるためのインタフェースと、
該車両の現在位置を特定すると共に該スペースを取り囲む障害物の位置を特定するためのプロセッサと、
該障害物を避けて、現在位置から該スペースへ該車両を自動的に移動させる機構とからなることを特徴とするシステム。
【請求項６】  請求項５のシステムにおいて、前記スペースが前記車両を駐車するのに適しているかどうかを判断するための手段をさらに備えることを特徴とするシステム。
【請求項７】  車両に利用されるシステムにおいて、
エンターテイメントを提供する複数ソースの各々から信号を受信し、そのソースによって提供されるエンターテイメントのタイプに関する情報を受信信号から引き出す受信機と、
複数ソースのそれぞれを表す指標を提供し、各指標が選択可能で、該指標によって表されたソースからエンターテイメントを受信できると共に、それによって表されるソースのエンターテイメントタイプに従って指標が配列されるインタフェースとからなることを特徴とするシステム。
【請求項８】  請求項７のシステムにおいて、各ソースがラジオ局を含むことを特徴とするシステム。
【請求項９】  選択された車線を移動する車両の操作システムに利用される方法において、
選択車線内で該車両の自動ステアリングを提供するステップと、
選択車線から離れることの指示を生成するステップと、
該指示に応じて該車両の手動ステアリングを可能にするステップとからなることを特徴とする方法。
【請求項１０】  車両システムに利用される方法において、
該車両を取り囲むゾーンの範囲を限定するステップと、
該車両と衝突する可能性のある物体が該ゾーンの範囲内にあるかどうかを判断するステップと、
そのような物体がゾーン内に少なくとも一つ存在する場合に信号を生成するステップとからなることを特徴とする方法。
【請求項１１】  車両駐車を行うシステムに利用される方法において、
該車両を駐車するスペースを定めるステップと、
該車両の現在位置を特定すると共に該スペースを取り囲む障害物の位置を特定するステップと、
該障害物を避けて、現在位置から該スペースへ該車両を自動的に移動させるステップとからなることを特徴とする方法。
【請求項１２】  車両システムに利用される方法において、
エンターテイメントを提供する複数ソースの各々から信号を受信するステップと、
そのソースによって提供されるエンターテイメントのタイプに関する情報を受信信号から引き出すステップと、
複数ソースのそれぞれを表す指標を提供し、各指標が選択可能で、該指標によって表されたソースからエンターテイメントを受信できると共に、それによって表されるソースのエンターテイメントタイプに従って指標が配列されるステップとからなることを特徴とする方法。
【請求項１３】  請求項１２の方法において、各ソースがラジオ局を含むことを特徴とする方法。
【手続補正書】
【提出日】平成18年2月27日(2006.2.27)
【手続補正１】
【補正対象書類名】明細書
【補正対象項目名】特許請求の範囲
【補正方法】変更
【補正の内容】
【特許請求の範囲】
【請求項１】  不活性キャリヤーおよび界面活性剤と共に粒体状、粉体状またはタブレット形態に処方された農薬を含み、その形態のポリマー含有量が５〜３０質量％（重量％）であり、その形態が水乳化性の熱可塑性ポリマーでコートされ、且つ、前記農薬がアシベンゾラー−Ｓメチル、フラチオカーブ、およびチアメトキサムからなる群から選ばれる固体の、コートされた農薬組成物。
【請求項２】  前記農薬が、アシベンゾラー−Ｓ−メチルとフラチオカーブとの混合物である請求項１に従う組成物。
【請求項３】  前記農薬が、粒体形態に処方されている請求項１に従う組成物。
【請求項４】  前記水乳化性の熱可塑性ポリマーが、ポリアクリレート、ポリメタアクリレート、ポリ酢酸ビニル、ポリスチレン、スチレン／アクリレートコポリマー、スチレン／メタアクリレートコポリマー、酢酸ビニル／アクリレートコポリマー、酢酸ビニル／メタアクリレートコポリマー、エチレン／酢酸ビニルコポリマー、エチレン／酢酸ビニル／アクリレートのターポリマー、エチレン／酢酸ビニル／メタアクリレートのターポリマー、ポリブタジエンおよびポリイソプレンからなる群から選ばれる請求項１に従う組成物。
【請求項５】  前記粒体、粉体またはタブレットが、完全にまたは部分的に疎水性液体で予備コートされている請求項１に従う組成物。
【請求項６】  前記粒体、粉体またはタブレットが、更にタルク、クレー、ベントナイトまたは炭酸カルシウムによってカバーされている請求項１に従う組成物。
【請求項７】  （１）農薬を含む粉体、粒体またはタブレットをミクサーに入れ、
（２）水乳化性の熱可塑性ポリマーから水との混合によって製造された水性ポリマー乳濁液を加え、
（３）工程（１）〜（２）で製造された混合物をオーバーフロー空気と接触させることによって、その混合物から水を除去し、
且つ、工程（２）〜（３）が回転しているミクサーで行われる請求項１に従う組成物を製造する方法。
【請求項８】  工程（１）および（２）の間で、０．０１〜１０質量％（重量％）の量で疎水性液体を加え、該工程が回転しているミクサーで行われる請求項７に従う組成物を製造する方法。
【請求項９】  工程（３）が、工程（２）と連続的および同時に行われる請求項７に従う組成物を製造する方法。
【請求項１０】  ポリマー・コーティング層の所望の数または厚さが形成されるまで工程（２）および（３）を繰り返す請求項７に従う組成物を製造する方法。
【請求項１１】  工程（３）が２５〜５０℃の温度に維持された予備乾燥された空気で行われる請求項７に従う方法。
【請求項１２】  前記ミクサーがコンクリート・ミクサーである請求項７に従う方法。
【請求項１３】  請求項１に従う組成物の農薬的に有効な量を、栽培領域に、植物または動物に適用することによる、有害生物による望ましくない植物生長、および植物または動物の侵襲を防止しまたは闘う方法。
【手続補正書】
【提出日】平成18年1月27日(2006.1.27)
【手続補正１】
【補正対象書類名】明細書
【補正対象項目名】特許請求の範囲
【補正方法】変更
【補正の内容】
【特許請求の範囲】
【請求項１】  （ａ）エステルクォート、
（ｂ）アルキルおよび／またはアルケニルオリゴグリコシド、
（ｃ）部分グリセリド、並びに
（ｄ）脂肪アルコールエトキシレート
を含有するヘアアフタートリートメント製剤。
【請求項２】  式(Ｉ):
【化１】
2002505253.tif 000001
[式中、Ｒ1ＣＯは炭素数６〜２２のアシル基であり、Ｒ2およびＲ3はそれぞれ、水素またはＲ1ＣＯと同意義であり、Ｒ4は炭素数１〜４のアルキル基または(ＣＨ2ＣＨ2Ｏ)qＨ基であり、m、nおよびpは、いずれも０であるか、または１〜１２の数であり、qは１〜１２の数であり、Ｘはハライド、アルキルスルフェートまたはアルキルホスフェートである。]
で示されるエステルクォートを含有する請求項１記載の製剤。
【請求項３】  式(II):
【化２】
2002505253.tif 000002
[式中、Ｒ1ＣＯは炭素数６〜２２のアシル基であり、Ｒ2は水素またはＲ1ＣＯと同意義であり、Ｒ4およびＲ5はそれぞれ、炭素数１〜４のアルキル基であり、mおよびnは、いずれも０であるか、または１〜１２の数であり、Ｘはハライド、アルキルスルフェートまたはアルキルホスフェートである。]
で示されるエステルクォートを含有する請求項１記載の製剤。
【請求項４】  式(III):
【化３】
2002505253.tif 000003
[式中、Ｒ1ＣＯは炭素数６〜２２のアシル基であり、Ｒ2は水素またはＲ1ＣＯと同意義であり、Ｒ4、Ｒ6およびＲ7はそれぞれ、炭素数１〜４のアルキル基であり、mおよびnは、いずれも０であるか、または１〜１２の数であり、Ｘはハライド、アルキルスルフェートまたはアルキルホスフェートである。]
で示されるエステルクォートを含有する請求項１記載の製剤。
【請求項５】  式（IV）：
Ｒ８Ｏ−[Ｇ]p        （IV）
［式中、Ｒ８は、炭素数４〜２２のアルキルおよび／またはアルケニル基であり、Ｇは炭素数５または６の糖単位であり、ｐは１〜１０の数である。］
で示されるアルキルおよびアルケニルオリゴグリコシドを含有する請求項１〜４のいずれかに記載の製剤。
【請求項６】  式（Ｖ）：
【化４】
2002505253.tif 000004
［式中、Ｒ９ＣＯは、炭素数６〜２２の、直鎖または分枝状、飽和および／または不飽和アシル基であり、Ｒ１０およびＲ１１はそれぞれ、Ｒ９ＣＯと同意義であるか、またはＨであり、（ｍ＋ｎ＋ｐ）の総数は０、または１〜１００であり、２個の置換基Ｒ１０およびＲ１１の少なくとも一方はＨである。］
で示される部分グリセリドを含有する請求項１〜５のいずれかに記載の製剤。
【請求項７】  アルキルオリゴグルコシドおよびオレイン酸モノグリセリドを含有する請求項１〜６のいずれかに記載の製剤。
【請求項８】  式（VI）：
Ｒ１２Ｏ(ＣＨ２ＣＨ２Ｏ)ｚＨ        （VI）
［式中、Ｒ１２は、炭素数６〜２２、二重結合数０および／または１、２もしくは３の、直鎖または分枝状脂肪族炭化水素基であり、ｚは０または１〜２０である。］
で示される脂肪アルコールおよび／または脂肪アルコールエトキシレートを含有する請求項１〜７のいずれかに記載の製剤。
【請求項９】  （ａ）エステルクォート０．１〜１０重量％、
（ｂ）アルキルおよび／またはアルケニルオリゴグリコシド０．１〜１０重量％、
（ｃ）部分グリセリド０．１〜１０重量％、
（ｄ）脂肪アルコールエトキシレート１．０〜１０重量％、および場合により
（ｅ）脂肪アルコール０〜１０重量％
を、水並びに場合により他の助剤および添加剤と合わせて１００重量％となるように含有する請求項１〜８のいずれかに記載の製剤。
【請求項１０】  （ａ）エステルクォート、
（ｂ）アルキルおよび／またはアルケニルオリゴグリコシド、
（ｃ）部分グリセリド、並びに
（ｄ）脂肪アルコールエトキシレート
を含有する混合物の、ヘアアフタートリートメント製剤製造のための使用。
【手続補正２】
【補正対象書類名】明細書
【補正対象項目名】００１６
【補正方法】変更
【補正の内容】
【００１６】
部分グリセリド
部分グリセリド、すなわちモノグリセリド、ジグリセリドおよびそれらの工業用混合物は、その製造に由来して少量のトリグリセリドを含有し得る。部分グリセリドは好ましくは、式（Ｖ）：
【化８】
2002505253.tif 000005
［式中、Ｒ９ＣＯは、炭素数６〜２２、好ましくは１２〜１８の、直鎖または分枝状、飽和および／または不飽和アシル基であり、Ｒ１０およびＲ１１はそれぞれ、Ｒ９ＣＯと同意義であるか、またはＨであり、（ｍ＋ｎ＋ｐ）の総数は０、または１〜１００、好ましくは５〜２５であり、２個の置換基Ｒ１０およびＲ１１の少なくとも一方はＨである。］
で示される。
【手続補正書】
【提出日】平成18年2月20日(2006.2.20)
【手続補正１】
【補正対象書類名】明細書
【補正対象項目名】特許請求の範囲
【補正方法】変更
【補正の内容】
【特許請求の範囲】
【請求項１】  ブタにおけるウイルスの増殖を抑制するように適応された獣医学製剤であって、式Ｉの化合物またはそれらの生理学的に許容し得る酸付加塩を含む、該製剤。
【化１】
2002505294.tif 000001
［式中、
Ｒは、式：
【化２】
2002505294.tif 000002
の飽和もしくは不飽和の３級アミノ基であって、ここで、
該窒素原子は、５〜１６個の環原子を含有する単環；８〜２０個の環原子を含有する二環もしくは三環；あるいは、
該炭素原子の１つ以上が、Ｃ１〜Ｃ４アルキル、Ｃ２〜Ｃ４アルケニル、Ｃ２〜Ｃ４アルキニル、Ｃ１〜Ｃ４アルコキシ、Ｃ１〜Ｃ４アルコキシカルボニル、ヒドロキシル、Ｃ１〜Ｃ４アルカノイルオキシ、ハロ、ハロ−Ｃ１〜Ｃ４アルキル、−Ｎ(Ｃ１〜Ｃ４アルキル)２、−Ｎ(ＣＨ２)ｍ、
【化３】
2002505294.tif 000003
シアノ、エチレンジオキシ、ベンジル、フェニル、または１〜３個の置換基（該置換基はニトロ、ハロ、Ｃ１〜Ｃ４アルキル、Ｃ１〜Ｃ４アルコキシ、ヒドロキシ、アミノ、またはモノ−もしくはジ−(Ｃ１〜Ｃ４アルキル)アミノから選ばれる）で置換されたフェニルによって置換されたそれらの基、から選ばれる他の炭素環式の一部であり；
ｍは、４〜７の整数であり；
Ｒ１は、
【化４】
2002505294.tif 000004
であり；
Ｒ２は、水素；Ｃ１〜Ｃ５アルカノイル；１〜３個のハロ置換基を有するＣ１〜Ｃ５アルカノイル；ベンゾイル；フェニルアセチル；フェニルプロピオニル；あるいは、１〜５個のハロもしくはメチル、または１〜２個のメトキシ、ニトロもしくはヒドロキシル置換基を有する、ベンゾイル、フェニルアセチルまたはフェニルプロピオニルであり；
Ｒ３は、ヒドロキシ；Ｃ１〜Ｃ５アルカノイルオキシ；１〜３個のハロ置換基を有するＣ１〜Ｃ５アルカノイルオキシ；ベンゾイルオキシ；フェニルアセトキシ；フェノキシアセトキシ；１〜５個のハロもしくはメチル、または１〜２個のメトキシ、ニトロもしくはヒドロキシル置換基を有する、ベンゾイルオキシ、フェニルアセトキシまたはフェノキシアセトキシ；あるいは、
【化５】
2002505294.tif 000005
である］
【請求項２】  化合物はチルミコシンまたはその生理学的に許容し得る酸付加塩である、請求項１記載の製剤。
【請求項３】  化合物はチルミコシン・リン酸塩である、請求項１または２のいずれかに記載の製剤。
【請求項４】  ウイルスはＳＩＲＳＶである、請求項１〜３のいずれか１つに記載の製剤。
【請求項５】  ウイルスはレリスタッドウイルスである、請求項１〜３のいずれかに１つに記載の製剤。
【請求項６】  ブタは交配中の雌ブタである、請求項１〜３のいずれか１つに記載の製剤。
【請求項７】  ブタにおけるウイルスの増殖を抑制するのに適当な医薬の製造における、式Ｉの化合物、その生理学的に許容し得る酸付加塩、またはそのいずれかを含有する獣医学組成物の使用であって、
【化６】
2002505294.tif 000006
［式中、
Ｒは、式：
【化７】
2002505294.tif 000007
の飽和もしくは不飽和の３級アミノ基であって、ここで、
該窒素原子は、５〜１６個の環原子を含有する単環；８〜２０個の環原子を含有する二環もしくは三環；あるいは、
該炭素原子の１つ以上が、Ｃ１〜Ｃ４アルキル、Ｃ２〜Ｃ４アルケニル、Ｃ２〜Ｃ４アルキニル、Ｃ１〜Ｃ４アルコキシ、Ｃ１〜Ｃ４アルコキシカルボニル、ヒドロキシル、Ｃ１〜Ｃ４アルカノイルオキシ、ハロ、ハロ−Ｃ１〜Ｃ４アルキル、−Ｎ(Ｃ１〜Ｃ４アルキル)２、−Ｎ(ＣＨ２)ｍ、
【化８】
2002505294.tif 000008
シアノ、エチレンジオキシ、ベンジル、フェニル、または１〜３個の置換基（該置換基はニトロ、ハロ、Ｃ１〜Ｃ４アルキル、Ｃ１〜Ｃ４アルコキシ、ヒドロキシ、アミノ、またはモノ−もしくはジ−(Ｃ１〜Ｃ４アルキル)アミノから選ばれる）で置換されたフェニルによって置換されたそれらの基、から選ばれる他の炭素環式の一部であり；
ｍは、４〜７の整数であり；
Ｒ１は、
【化９】
2002505294.tif 000009
であり；
Ｒ２は、水素；Ｃ１〜Ｃ５アルカノイル；１〜３個のハロ置換基を有するＣ１〜Ｃ５アルカノイル；ベンゾイル；フェニルアセチル；フェニルプロピオニル；あるいは、１〜５個のハロもしくはメチル、または１〜２個のメトキシ、ニトロもしくはヒドロキシル置換基を有する、ベンゾイル、フェニルアセチルもしくはフェニルプロピオニルであり；
Ｒ３は、ヒドロキシ；Ｃ１〜Ｃ５アルカノイルオキシ；１〜３個のハロ置換基を有するＣ１〜Ｃ５アルカノイルオキシ；ベンゾイルオキシ；フェニルアセトキシ；フェノキシアセトキシ；１〜５個のハロもしくはメチル、または１〜２個のメトキシ、ニトロもしくはヒドロキシル置換基を有する、ベンゾイルオキシ、フェニルアセトキシもしくはフェノキシアセトキシ；あるいは、
【化１０】
2002505294.tif 000010
である］
【請求項８】  化合物はチルミコシンまたはそれらの生理学的に許容し得る酸付加塩である、請求項７に記載の使用。
【請求項９】  化合物はチルミコシン・リン酸塩である、請求項７または８のいずれかに記載の使用。
【手続補正書】
【提出日】平成18年1月27日(2006.1.27)
【手続補正１】
【補正対象書類名】明細書
【補正対象項目名】特許請求の範囲
【補正方法】変更
【補正の内容】
【特許請求の範囲】
【請求項１】  有効成分として、下式（Ｉ）
【化１】
2002505297.tif 000001
〔式中、Ｒ1は炭素数１〜４のアルキル基または置換されていてもよい炭素数６〜１０のアリール基を示し；Ｒ2とＲ3は同一または異なってもよく、それぞれ水素または炭素数１〜４のアルキル基を示すか、あるいはＲ2とＲ3とが連結して炭素数３〜７の環を形成してもよく；Ｒ4はアリール、シクロアルキルまたは芳香族複素環残基で置換されていてもよい低級アルキル基を示す。〕
の化合物またはその医薬上許容される塩を含有してなる眼底組織細胞障害による疾患の予防または治療用医薬組成物。
【請求項２】  式（Ｉ）におけるＲ1がフッ素、塩素もしくはメチルで置換されていてもよい、フェニルまたはナフチルである、請求項１記載の医薬組成物。
【請求項３】  式（Ｉ）におけるＲ1がメチル、４−フルオロフェニル、４−クロロフェニル、ｐ−トリルおよび２−ナフチルからなる群より選ばれる基である、請求項１記載の医薬組成物。
【請求項４】  式（Ｉ）において、Ｒ2がプロピル、イソプロピルまたはｔｅｒｔ−ブチルであり、かつＲ3が水素である、請求項１記載の医薬組成物。
【請求項５】  式（Ｉ）において、Ｒ2がイソプロピルであり、かつＲ3が水素である、請求項１記載の医薬組成物。
【請求項６】  式（Ｉ）において、Ｒ2とＲ3とが連結してシクロペンチリデンまたはシクロヘキシリデンを形成する、請求項１記載の医薬組成物。
【請求項７】  式（Ｉ）において、Ｒ4がイソブチル、ベンジル、シクロヘキシルメチルおよびインドール−３−イルメチルからなる群より選ばれる基である、請求項１記載の医薬組成物。
【請求項８】  有効成分が、Ｎ−（４−フルオロフェニルスルホニル）−Ｌ−バリル−Ｌ−ロイシナールまたはその医薬上許容される塩である、請求項１記載の医薬組成物。
【請求項９】  眼底組織細胞障害による疾患が、網脈絡膜疾患、緑内障および光凝固による眼球後眼部合併症からなる群より選ばれる疾患である、請求項１〜８のいずれかに記載の医薬組成物。
【請求項１０】  眼底組織細胞障害による疾患が網脈絡膜疾患である、請求項１〜９のいずれかに記載の医薬組成物。
【請求項１１】  網脈絡膜疾患が、網膜血管閉塞症、網膜静脈周囲炎、Ｅａｌｅｓ病、虚血性眼症候群、網膜細動脈瘤、高血圧または腎疾患による網膜症、糖尿病網膜症、網膜色素上皮症、網膜ジストロフィ、黄斑ジストロフィ、網脈絡膜萎縮、網脈絡膜症、黄斑変性症、黄斑浮腫、網膜色素上皮剥離、網膜剥離、変性網膜分離症、網膜芽細胞腫、網膜色素上皮腫瘍、視神経乳頭毛細血管腫、虚血性視神経症およびうっ血乳頭／乳頭浮腫からなる群より選ばれる１つである、請求項１０記載の医薬組成物。
【請求項１２】  網脈絡膜疾患が網膜血管閉塞症である、請求項１１記載の医薬組成物。
【請求項１３】  網脈絡膜疾患が黄斑変性症である、請求項１１記載の医薬組成物。
【請求項１４】  眼底組織細胞障害による疾患が光凝固による眼球後眼部合併症である、請求項１〜９のいずれかに記載の医薬組成物。
【請求項１５】  光凝固による眼球後眼部合併症が、黄斑部浮腫、網膜剥離、視神経炎、視野異常、光覚異常および色覚異常からなる群より選ばれる１つである、請求項１４記載の医薬組成物。
【請求項１６】  眼底組織細胞障害による疾患が緑内障である、請求項１〜９のいずれかに記載の医薬組成物。
【請求項１７】  緑内障が、開放隅角緑内障、低眼圧緑内障および閉塞隅角緑内障からなる群より選ばれる１つである、請求項１６記載の医薬組成物。
【請求項１８】  緑内障が低眼圧緑内障である、請求項１７記載の医薬組成物。
【手続補正書】
【提出日】平成17年12月26日(2005.12.26)
【手続補正１】
【補正対象書類名】明細書
【補正対象項目名】請求項２
【補正方法】変更
【補正の内容】
【請求項２】 前記高純度のリチウム塩が、塩化リチウム、フッ化リチウム、臭化リチウム、硫酸リチウム、硝酸リチウム、燐酸リチウムまたは炭酸リチウムである、請求項１に記載の製造方法。
【手続補正書】
【提出日】平成18年3月2日(2006.3.2)
【手続補正１】
【補正対象書類名】明細書
【補正対象項目名】特許請求の範囲
【補正方法】変更
【補正の内容】
【特許請求の範囲】
【請求項１】  
飲料容器用のカートンであって、 該カートンは、折り曲げ可能に接続されスリーブを形成するための一連の折り曲げ可能パネルと、少なくとも１つの前記折り曲げ可能パネルに折り曲げ可能に接続され前記スリーブの両端を少なくとも部分的に閉鎖する端パネルとを備え、 該カートンは、該カートンを携行可能とする把手手段を備え、 該把手手段は、端パネルに接続されかつ把持部分を備えた帯材を有し、 前記把持部分は、保管状態では前記１つの折り曲げ可能パネルと略面一の関係にあり、 前記帯材の両端部は、前記把持部分を把持位置にもって行くためのたるみができるように前記端パネルに接続されていることを特徴とするカートン。
【請求項２】  
前記帯材の前記両端部は、前記端パネルの内方変位部分に取り付けられ、前記把持部分と前記両端部との間に位置する中間部分は前記１つの折り曲げ可能パネルに取り付けられず、かつ、拘束されずに前記たるみを提供することを特徴とする請求項１に記載のカートン。
【請求項３】  
前記内方変位部分はそれぞれ段差部を備え、該段差部の水平面は端パネルから形成され、該段差部の垂直面は前記１つの折り曲げ可能パネルから形成され、前記段差部は、該カートンの該段差部側に位置する製品の上部間に配置されて製品上部間の安定化スペーサを構成していることを特徴とする請求項２に記載のカートン。
【請求項４】  
前記帯材の前記把持部分は、前記１つの折り曲げ可能パネルの一部に接着されていることを特徴とする請求項１から３のいずれか１項に記載のカートン。
【請求項５】  
前記把持部分の一部は、前記１つの折り曲げ可能パネルの一部から形成されていることを特徴とする請求項１から４のいずれか１項に記載のカートン。
【請求項６】  
前記安定化スペーサは、前記端パネルが保持位置に折り曲げられた際に、自動的に使用位置に配置されることを特徴とする請求項３から５のいずれか１項に記載のカートン。
【請求項７】  
前記安定化スペーサは、一対の端折り曲げ線の間に中間折り曲げ線を備えかつ前記端折り曲げ線によって前記１つの折り曲げ可能パネルと前記端パネルとに折り曲げ可能に接続され、前記安定化スペーサは、前記端パネルが保持位置に折り曲げられた際に、前記端折り曲げ線及び中間折り曲げ線に沿ってトグル作用によって折り曲げられることを特徴とする請求項６に記載のカートン。
【手続補正２】
【補正対象書類名】明細書
【補正対象項目名】００２０
【補正方法】変更
【補正の内容】
【００２０】
包装紙として一群の製品を取り巻いて締め付けるために、底パネル１２には複数の締付け用開口部５８が形成され、第２底パネル３２には同様に複数の締付け用開口部６０が形成されている。周知であるように、包装紙を一群の製品の周りに配置し、底パネル１２と３２とを互いにオーバーラップさせた状態で、装置部材を締付け用開口部５８，６０に挿入して互いに他方に向けて動かし、包装紙を一群の製品周りに締め付ける。包装紙の締付けが完了した後、保持用タブ６４によってそれぞれ形成される複数のロック用タブ６２を、複数の開口部に貫通させることによって包装紙をロック状態にする。ロック用タブ６２及び保持用タブ６４の形態は周知であり、またロック工程も周知である。
【手続補正書】
【提出日】平成18年2月20日(2006.2.20)
【手続補正１】
【補正対象書類名】明細書
【補正対象項目名】特許請求の範囲
【補正方法】変更
【補正の内容】
【特許請求の範囲】
【請求項１】  少なくとも一つの開口を持つ側壁を備えたハウジングと、弁軸オリフィス部を持つ弁軸とを備え、前記弁軸オリフィス部が、これを貫く導管と、前記ハウジングの内部及び前記導管に連通する少なくとも１つの弁軸オリフィスとを備え、前記弁軸オリフィスが、ガスケットにより囲まれて成る弁であって、
前記弁軸がさらに、前記弁軸オリフィス部の下方に胴体部と、下部ガスケットを内部に配置する環状凹部を持つ下部軸部と、下部軸部の基部の凹部とを持ち、
前記弁軸を前記ハウジング内に配置し、この弁軸に手動の圧力を付与及び撤回するときに、前記ハウジングの内部に対する往復運動性能を前記弁軸に持たせ、前記下部軸部上のガスケットの下のハウジング内部とともに、前記下部ガスケットの下方の前記下部軸部の外壁と、前記弁軸の基部の凹部とで、弁閉鎖室を画定し、該弁閉鎖室が、弁が通常の直立方向にあるときには、該弁閉鎖室内にある非圧縮球体とともに、弁作動閉鎖手段を形成し、該弁閉鎖室が前記ハウジングの開口から隔離されて成る弁において、
前記下部弁軸の前記下部ガスケットが、前記弁閉鎖室の外側で、前記ハウジングの内部から前記弁閉鎖室を隔離し、かつ密閉するように作用し、前記下部弁軸の溝と、該溝に配置される前記下部ガスケットが一体形成されることを特徴とする弁。
【請求項２】  さらに、前記弁が直立位置にあるときに、前記弁が開かないように前記弁作動閉鎖手段を配置する、請求項１に記載の弁。
【請求項３】  さらに、弁が逆立ちの位置にあるときに、弁が開かないように前記弁作動閉鎖手段を配置する、請求項１に記載の弁。
【請求項４】  さらに、前記ハウジングが単体部材である請求項１に記載の弁。
【請求項５】  さらに、前記ハウジングが単体部材である請求項２に記載の弁。
【請求項６】  さらに、前記ハウジングが単体部材である請求項３に記載の弁。
【請求項７】  さらに、前記弁作動閉鎖手段が、前記ハウジング内で、このハウジングの内部の底部から延びる直立部と、前記ハウジングの下部に配置される非圧縮性球体と、前記弁軸の基部にあって、前記弁の逆立ちのときに前記非圧縮性球体を受け入れることのできる凹部とを含む、請求項７に記載の弁。
【請求項８】  さらに、前記弁作動閉鎖手段が、前記ハウジング内で、このハウジングの内部の底部から延びる直立部と、前記ハウジングの下部に配置される非圧縮性球体と、前記弁軸の基部にあって、前記弁の逆立ちのときに前記非圧縮性球体を受け入れることのできる凹部とを含む、請求項２に記載の弁。
【請求項９】  さらに、前記弁作動閉鎖手段が、前記ハウジング内で、このハウジングの内部の底部から延びる直立部と、前記ハウジングの下部に配置される非圧縮性球体と、前記弁軸の基部にあって、前記弁が逆立ちのときに前記非圧縮性球体を受け入れることのできる凹部とを含む、請求項５に記載の弁。
【手続補正書】
【提出日】平成18年2月1日(2006.2.1)
【手続補正１】
【補正対象書類名】明細書
【補正対象項目名】特許請求の範囲
【補正方法】変更
【補正の内容】
【特許請求の範囲】
【請求項１】  押出されるチューブ状パリソンの壁厚を変化させるためにノズルオリフィスを所期のように調整することのできる円環状のノズル／マンドレル間隙調整エレメントを備えた調整可能なリング状のチューブ出口ノズルを有する形式の、ブロー成形されたプラスチック中空体生産用のチューブ状パリソンを製造するための押出ヘッドにおいて、
ノズルオリフィス内で、押出されるパリソンに対して個別にかつ／又は同時に内側及び／又は外側から作用することのできる少なくとも３つの、各個別々に成形された交換可能なノズル／マンドレル間隙調整エレメント（Ｄ０＝マンドレル，ＤＳＩ，ＤＳＩＩ，ＤＳＩＩＩ）が設けられており、しかも前記調整エレメント（Ｄ０＝マンドレル，ＤＳＩ，ＤＳＩＩ，ＤＳＩＩＩ）の少なくとも２つが、移動調整可能に構成されており、かつそのために夫々１つの調整駆動装置を装備していることを特徴とする、押出ヘッド。
【請求項２】  特殊成形部（例えば歯形）を調整するための付加的な第３調整エレメント（ＤＳＩＩ）が、第２調整エレメント（ＤＳＩ）の下に配置されており、かつ最終的な壁厚影響手段として、押出されるチューブ状パリソンに対して作用可能である、請求項１記載の押出ヘッド。
【請求項３】  押出されるチューブ状パリソンに係合可能な第３調整エレメント（ＤＳＩＩ）の最下位内縁が、中央のマンドレル（Ｄ０）の最下位外縁にほぼ等しい高さにか又は該最下位外縁よりも僅か上位に配置されている、請求項１又は２記載の押出ヘッド。
【請求項４】  第３調整エレメント（ＤＳＩＩ）が独自の調整駆動装置を装備し、かつ軸方向にシフト可能もしくは移動調整可能にガイドされているか、又は第３調整エレメント（ＤＳＩＩ）が分割構成されて２つの１８０゜半割リング片から成っており、両半割リング片が、独自の調整駆動装置を装備しかつ半径方向にシフト可能もしくは移動調整可能にガイドされている、請求項１から３までのいずれか１項記載の押出ヘッド。
【請求項５】  調整エレメント（Ｄ０，Ｄ０＊，ＤＳＩ，ＤＳＩＩ，ＤＳＩＩＩ）が急速装着手段を有し、かつ容易に交換可能に構成されている、請求項４記載の押出ヘッド。
【請求項６】  マンドレルホルダー（１２）に、特殊成形部（例えば歯形）を有する軸方向に移動調整可能に支承された調整エレメント（Ｄ０＊）が装備されており、第２調整エレメント（ＤＳＩ）が成形部を有せず円環状に円滑に形成されており、かつ第３調整エレメント（ＤＳＩＩ）がそれ自体公知の楕円成形部を有している、請求項１から５までのいずれか１項記載の押出ヘッド。
【手続補正書】
【提出日】平成18年2月24日(2006.2.24)
【手続補正１】
【補正対象書類名】明細書
【補正対象項目名】特許請求の範囲
【補正方法】変更
【補正の内容】
【特許請求の範囲】
【請求項１】  マイコバクテリア性疾患の治療で使用される薬剤の製造における、一般式(Ｉ)
【化１】
2002505286.tif 000001
［式中、ｘは０または１であり、Ｒ1は３−〜７−員の（ヘテロ）シクロアルキル基またはフェニル基であり、ＹはＣＨ2または＞Ｃ＝Ｏ基であり、そしてＲ2は場合により１個またはそれ以上のハロゲン原子により置換されるＣ1〜Ｃ12アルキル基、基
【化２】
2002505286.tif 000002
（ここで、ｍは３〜７の整数であり、Ｒ3はＣ1〜Ｃ6アルキル基であり、そしてＲ4は場合によりハロゲン原子、Ｃ1〜Ｃ6アルキルおよびＣ1〜Ｃ6アルコキシ基からなる群より選択される１個またはそれ以上の置換基により置換されるシクロヘキシルまたはフェニル基である）、または基
【化３】
2002505286.tif 000003
（ここで、ｎは２〜４の整数であり、ｐおよびｑは独立して１〜２の整数であり、ＺはＮまたはＣＨであり、そしてＲ5は場合によりハロゲン原子、Ｃ1〜Ｃ6アルキルおよびＣ1〜
Ｃ6アルコキシ基からなる群より選択される１個またはそれ以上の置換基により置換されるシクロヘキシルまたはフェニル基である）の何れかである］
の化合物、またはその薬学的に許容しうる塩または溶媒和物の使用。
【請求項２】  マイコバクテリア性疾患は結核症である請求項１記載の使用。
【請求項３】  Ｙは＞Ｃ＝Ｏ基である請求項１または２記載の使用。
【請求項４】  Ｒ1は５−〜７−員の（ヘテロ）シクロアルキル基またはフェニル基である請求項１〜３の何れかの項記載の使用。
【請求項５】  Ｒ1は５−または７−位に位置する請求項４記載の使用。
【請求項６】  Ｒ2はＣ4〜Ｃ12アルキル基；Ｒ4がフェニル基であり、ｍおよびＲ3が請求項１で定義された通りである基(Ａ)；またはｎが２であり、ｐが１であり、ｑが１であり、ＺがＮまたはＣＨであり、Ｒ5がフェニル基である基(Ｂ)である請求項１〜５の何れかの項記載の使用。
【請求項７】  マイコバクテリア性疾患の治療で使用される薬剤の製造における、
５−シクロヘキシル−１−［２−［１−（フェニルメチル）−４−ピペリジニル］エチル］−１Ｈ−インドール−２,３−ジオン；
７−シクロヘプチル−１−［２−［４−（フェニルメチル）−１−ピペラジニル］エチル］−１Ｈ−インドール−２,３−ジオン；
５−シクロヘキシル−１−（５−（Ｎ−エチル−Ｎ−フェニルメチルアミノ）ペンチル）−１Ｈ−インドール−２,３−ジオン；
５−シクロヘキシル−１,３−ジヒドロ−１−［２−［１−（フェニルメチル）−４−ピペリジニル］エチル］−２Ｈ−インドール−２−オン；
１−（４−（Ｎ−エチル−Ｎ−フェニルメチルアミノ）ブチル）−１Ｈ−インドール−２,３−ジオン；
５−フェニル−１−［２−［４−（フェニルメチル）−１−ピペラジニル］エチル］−１Ｈ−インドール−２,３−ジオン；
７−シクロペンチル−１−［２−［４−（フェニルメチル）−１−ピペラジニル］エチル］−１Ｈ−インドール−２,３−ジオン；
５−（１−ピペリジニル）−１−［２−［４−（フェニルメチル）−１−ピペラジニル］エチル］−１Ｈ−インドール−２,３−ジオン；
１−（４−ブロモブチル）−５−シクロヘキシル−１Ｈ−インドール−２,３−ジオン；
１−ノニル−７−フェニル−１Ｈ−インドール−２,３−ジオン；
１−ヘプチル−７−フェニル−１Ｈ−インドール−２,３−ジオン；
１−オクチル−７−フェニル−１Ｈ−インドール−２,３−ジオン；
１−デシル−７−フェニル−１Ｈ−インドール−２,３−ジオン；
１−ウンデシル−７−フェニル−１Ｈ−インドール−２,３−ジオン；
１−ペンチル−７−フェニル−１Ｈ−インドール−２,３−ジオン；
１−ブチル−７−フェニル−１Ｈ−インドール−２,３−ジオン；
１−（２−メチルプロピル）−７−フェニル−１Ｈ−インドール−２,３−ジオン；
１−ヘキシル−７−フェニル−１Ｈ−インドール−２,３−ジオン；
１−ドデシル−７−フェニル−１Ｈ−インドール−２,３−ジオン；または
１−（４−ブロモブチル）−７−フェニル−１Ｈ−インドール−２,３−ジオン
である化合物、またはその薬学的に許容しうる塩または溶媒和物の使用。
【請求項８】  一般式（Ｉ′)
【化４】
2002505286.tif 000004
（式中、ＹおよびＲ2は請求項１で定義された通りである）の化合物、またはその薬学的に許容しうる塩または溶媒和物。
【請求項９】  式(II)
【化５】
2002505286.tif 000005
（式中、Ｙは請求項１で定義された通りである）の化合物を、一般式（III）
Ｒ2−Ｌ          (III)
（式中、Ｌは脱離基であり、そしてＲ2は請求項１で定義された通りである）の化合物と反応させ、その後場合によりその薬学的に許容しうる塩または溶媒和物を生成することからなる請求項８記載の式（Ｉ′)の化合物の製造法。
【請求項１０】  請求項８記載の式（Ｉ′)の化合物、またはその薬学的に許容しうる塩または溶媒和物を薬学的に許容しうる補助剤、希釈剤または担体と共に含有する医薬組成物。
【手続補正書】
【提出日】平成18年2月27日(2006.2.27)
【手続補正１】
【補正対象書類名】明細書
【補正対象項目名】特許請求の範囲
【補正方法】変更
【補正の内容】
【特許請求の範囲】
【請求項１】  老眼矯正用の所望の非球面形状を治癒後の角膜の前側光学表面上に生成するために、曝露させた眼の角膜表面の選択的取り除きを実施するための眼科手術システムであって、
ｉ．レーザビームを経路に沿って導くための手段と、
ｉｉ．前記ビームをプロファイルし、中心をもつプロファイルされたビームを作成するための手段とを備え、
ｉｉｉ．プロファイルビームの中心を光軸に対して所定の範囲だけ側方に変位させ、それにより眼の角膜表面上でビームの中心の対応する側方変位を行うための手段と、
前記プロファイルされたビームの中心を眼の角膜表面エリアにわたって動かすために、レーザ治療テーブルに応じて前記側方変位を制御するようにしたコンピュータであって、前記レーザ治療テーブルが、複数のオプティカル治療ゾーンを（曝露させた角膜表面が取り除かれる）角膜表面上に画定し、前記眼の瞳孔の入力寸法に応じてオプティカル治療ゾーンをスケーリングするようにし、かつ前記エリアの前記取り除きを行うために、レーザビームパルスを発するためにレーザを制御するようにし、それにより前記所望の非球面形状を提供するために適切な形状の、取り除かれたオプティカルゾーンを眼の上に形成するコンピュータとを特徴とするシステム。
【請求項２】  前記入力寸法は、瞳孔エリア、瞳孔の直径または前記瞳孔の半径を備え、前記スケーリングは、瞳孔エリア、直径または半径の相対的増加に関する前記テーブルに記憶された値によって画定されるオプティカル治療ゾーンの増加か、瞳孔エリア、直径または半径の相対的減少に関するテーブルに記憶された値によって画定されるオプティカル治療ゾーンの減少を備える請求項１に記載のシステム。
【請求項３】  取り除かれたオプティカルゾーンは、システムの使用者によって選択可能である請求項１または２に記載のシステム。
【請求項４】  取り除かれたオプティカルゾーンは、近方視用に矯正されたゾーンを備え、かつ近方視用に矯正されたゾーンは、瞳孔の寸法にスケーリングされる請求項１から３のいずれかに記載のシステム。
【請求項５】  取り除かれたオプティカルゾーンは、遠方視用に矯正されたゾーンを更に備える請求項４に記載のシステム。
【請求項６】  取り除かれたオプティカルゾーンは、近方視用の中心ゾーンを備え、かつ前側光学表面は、近方視用の中心光学表面を備え、前記レーザ治療テーブルは、中心表面と比較して中心ゾーンを過矯正するように設定される請求項１から５のいずれかに記載のシステム。
【請求項７】  取り除かれたオプティカルゾーンは、近方視用の中心ゾーンを備え、かつ前側光学表面は、近方視用の中心光学表面を備え、レーザ治療テーブルは、前記中心表面と比較して中心ゾーンを横切る寸法を制限する請求項１から６のいずれかに記載のシステム。
【請求項８】  レーザ治療テーブルは、老眼と、近視、遠視、乱視および不正屈折よりなる群より選択される屈折異常との同時矯正を提供するようにした請求項１から７のいずれかに記載のシステム。
【請求項９】  取り除かれたオプティカルゾーンは、予想される、治癒に伴う角膜形状の変化による所望の再整形と異なる請求項１から８のいずれかに記載のシステム。
【請求項１０】  コンピュータは、所望の再整形に応答して治癒に伴う形状の変化を発生させる請求項９に記載のシステム。
【請求項１１】  コンピュータによって生じた治癒に伴う形状の変化は、角膜の差次治癒を含む請求項９または１０に記載のシステム。
【請求項１２】  所望の形状を治癒後の角膜の前側光学表面上に生成するために、曝露させた眼の角膜表面の選択的取り除きを実施するための眼科手術システムであって、
ｉ）角膜を取り除くエネルギーのビームを発生させるためのレーザと、
ｉｉ）角膜にわたってビームを操作するためのビームの経路内の光学的トレインと、
ｉｉｉ）初期取り除き形状に従って取り除き再整形を行うためにビームを操作するように、光学的トレインと動作可能に結合されるプロセッサであって、所望の形状から治癒後の角膜の初期取り除き形状を決定するようにしたプロセッサとを備えるシステム。
【請求項１３】  プロセッサは、初期取り除き形状と、所望の形状の間で、治癒が誘発した形状の変化を評価することによって、初期取り除き形状を決定するようにした請求項１２に記載のシステム。
【請求項１４】  評価される治癒が誘発した変化は、角膜の取り除きオプティカルゾーンにわたって一定でない請求項１２または１３に記載のシステム。
【請求項１５】  治癒が誘発した変化は、角膜の中心オプティカルゾーンよりも周辺オプティカルゾーンで大きい請求項１３に記載のシステム。
【請求項１６】  プロセッサは、入力として所望の形状を受けるようにした請求項１２から１５のいずれかに記載のシステム。
【請求項１７】  所望の形状は、非球面である請求項１２から１６のいずれかに記載のシステム。
【請求項１８】  初期取り除き形状は、非球面である請求項１２から１７のいずれかに記載のシステム。
【請求項１９】  所望の形状は、老眼を矯正または緩和するためにあり、初期取り除き形状は、角膜表面上に複数のオプティカル治療ゾーンを備え、かつプロセッサは、オプティカル治療ゾーンを眼の瞳孔の入力寸法に従ってスケーリングするようにした請求項１２から１８のいずれかに記載のシステム。
【請求項２０】  初期取り除き形状は、近方視用の中心取り除きゾーンと、遠方視用の周辺取り除きゾーンとを含み、かつ所望の形状は、近方視用の中心前側表面と、遠方視用の周辺前側表面とを備える請求項１９に記載のシステム。
【請求項２１】  中心取り除きゾーンは、中心前側表面と比較して過矯正される請求項２０に記載のシステム。
【請求項２２】  過矯正は、約１から２５μｍの相対量を含む請求項２１に記載のシステム。
【請求項２３】  初期取り除き形状は、中心前側表面と比較して中心取り除きゾーンを横切って制限される請求項２０から２２のいずれかに記載のシステム。
【請求項２４】  制限は、約０．１から２．０ｍｍの相対量を含む請求項２１に記載のシステム。
【請求項２５】  周辺前側表面は、周辺取り除きゾーンと異なる形状であり、かつ中心前側表面の形状は、中心取り除きゾーンの形状とより密接に一致する請求項２０から２４のいずれかに記載のシステム。
【請求項２６】  初期取り除き形状は、周辺取り除きゾーンと近接し、かつ中心取り除きゾーンから離れたトランジションゾーンを更に含む請求項２５に記載のシステム。